(57)【要約】【課題】医療情報の網羅率を向上する。【解決手段】ユーザー（３ａ〜３ｄ）は医療情報管理業者（２）と個人医療口座の開設およびその管理について契約し、既に医療情報管理業者と契約している医療情報源（１ａ，１ｂ）、例えば医療機関に検査情報、診断情報等医療情報を送付するよう依頼して個人医療口座に医療情報を蓄積する。ユーザーは医療情報管理業者（２）と未契約の医療情報源（４ａ，４ｂ）で検査等を受けた場合、ユーザーは未契約医療情報源から医療情報を記載した紙面（９ａ）を受け取り、これを医療情報管理業者に送って医療情報を個人医療口座に蓄積する。したがって、ユーザーは医療情報源側の経営主体の相違や地域に影響を受けることなく自らの医療情報を個人医療口座に蓄積でき、医療情報の網羅率を向上できる。【選択図】図１
2006024047.tif 000002
【特許請求の範囲】
【請求項１】
複数の医療情報源に設置され各ユーザーの医療情報を入力する複数の情報処理装置と、該複数の情報処理装置に通信ネットワークを介して接続し各ユーザーの医療情報を受け取る医療情報管理装置と、複数のユーザーにそれぞれ所持され前記医療情報管理装置に通信ネットワークを介して接続して前記医療情報管理装置から送信要求したユーザーの医療情報を受け取り該医療情報を送信要求したユーザーに知らせる複数の情報端末を備えた医療情報管理システムにおいて、
前記医療情報管理装置は前記複数のユーザーにそれぞれ専用される個人医療口座を管理しており、前記複数の医療情報源のいずれかから送られてくる特定ユーザーの医療情報および特定のユーザーから送られてくる医療情報を該特定ユーザーの個人医療口座に保管し、特定ユーザーが医療情報の送信を要求したときには該特定ユーザーの個人医療口座から医療情報を選択的に読み出して前記特定ユーザーが所持する情報端末あるいは前記特定ユーザーが指定する情報処理装置に送信することを特徴とする個人医療情報管理システム。
【請求項２】
複数のユーザーがそれぞれ所持する複数の情報端末に通信ネットワークを介して接続可能な医療情報管理装置であって、該医療情報管理装置は前記複数のユーザに専用される個人医療口座を設けた記憶装置と、特定ユーザーあるいは医療情報源から送られてきた特定ユーザーの医療情報を該特定ユーザーの個人医療口座に書き込むとともに特定ユーザーの要求に応答して該特定ユーザーの医療情報を該特定ユーザーの個人医療口座から選択的に読み出す情報処理装置と、前記通信ネットワークと前記情報処理装置との間に介在し少なくとも前記医療情報源から送られてきた特定ユーザーの医療情報を受信して受信した医療情報を前記情報処理装置に転送し前記特定ユーザーの個人医療口座から読み出された前記特定ユーザーの医療情報を前記特定ユーザーの所持する情報端末あるいは前記特定ユーザーが指定する情報端末に送信する通信装置を備えたことを特徴とする医療情報管理装置。
【発明の詳細な説明】
【技術分野】
【０００１】
本発明は複数の診療機関および検査機関から得られる医療情報や健康に関するアドバイスをユーザーの個人医療口座に蓄積し、ユーザーが自由に自らの個人医療口座から医療情報等を取り出せる個人医療情報管理システム、並びに該個人医療情報管理システムにおいて医療情報等を個人口座に蓄積しこれをユーザーに供給する医療情報管理装置に関する。
【背景技術】
【０００２】
一般に医師は患者から診療を求められると、症状に応じて血液検査やレントゲン撮影更には心電図検査等生理検査を実施し、その結果（以下，検査情報という）に基づき診断をして適切な処置をとる。医師は診断や検査情報と共に採用した処置をカルテに記入して診療記録として残し、後日の参考にする。このカルテは長い間紙面上に作成されており、医師が医療機関内に保管していた。かかる状況下で医療の専門化が進み、医師は自分の専門分野のみ診断し治療するようになると、複数の疾患を抱える患者は異なる医師の診断と治療を受けることになり、カルテも医師毎に複数作成されることになる。ところが医師間で紙面上のカルテに記載した診療記録を交換することが難しいことから、医師毎に重複した検査が実施されたり、同時服用が好ましくない投薬がなされるなど、医療の専門化に伴う問題が生じてきた。
【０００３】
このような問題点の解決を目的として診療記録を電子化し、集中的に保管する電子カルテシステムが提案されるに至った。既に実用化された電子カルテシステムもあり、診療所や病院毎に、あるいは複数の病院で電子カルテシステムを採用している例もある。
【０００４】
かかる電子カルテシステムの一例が特開２００２−２０３０４５号に開示されている。この従来の電子カルテシステムでは、複数の医療機関に設置された複数の端末装置がカルテデータベースを管理する医療データ管理装置にネットワークを介して接続可能であり、医師等操作者は端末装置から医療データ管理装置内のカルテデータベースにアクセスする。したがって、複数の医師が患者毎に作成される共通の電子カルテに診療記録を書き込み、あるいは過去の診療記録を読み出しできるので、この従来の電子カルテシステムは前記医療の専門化に伴う問題点の改善に役立つと考えられる。
【０００５】
ところが、患者は従来の電子カルテシステムに参加している医療機関で常に診療を受けるとは限らない。比較的軽い症状については自宅近くの小規模なクリニックで診療を受け、重症な病状は大規模な病院で診療を受けることもある。更に、患者が転居すると、他地域の医療機関で診療を受けることになり、地域によっては従来の電子カルテシステムに参加していない医療機関しか利用できないこともある。患者が旅行中に発症した場合にも、近くに従来の電子カルテシステムに参加していない医療機関しか利用できない可能性が大きい。このように従来の電子カルテシステムには、その利用範囲に制限があり、医療の専門化に伴う問題点の抜本的な解決とならない。
【特許文献１】特開２００２−２０３０４５号
【発明の開示】
【発明が解決しようとする課題】
【０００６】
本発明が解決しようとする問題点は、診療記録の蓄積、利用に制限を受けていることに起因する診療記録の不完全性である。
【課題を解決するための手段】
【０００７】
本発明によると、ユーザーが個人的に開設した個人医療口座毎に当該ユーザーの医療情報を保管し利用する。即ち、ユーザー自らが医師から受け取る医療情報を医療情報管理業者に送って個人医療口座に蓄積し、あるいは医療情報源がユーザーに依頼されて医療情報を医療情報管理装置に送って依頼したユーザーの個人医療口座に保管し、更に、医療情報管理装置は特定ユーザーの依頼を受けて特定ユーザーの個人医療口座から特定ユーザーの所持する情報端末あるいは特定ユーザーが指定する医療情報源の情報処理装置に医療情報を選択的に送信することを最も主要な特徴とする。
【発明の効果】
【０００８】
本発明に係る個人医療情報管理システムでは、ユーザーが自ら開設した個人医療口座に医療情報を蓄積し利用するので、医療機関の規模、設備、地域性、経営主体等に影響されずに医療情報を網羅的に個人医療口座に蓄積できる。特に、ユーザーは医師から得られる医療情報を直接あるいは医療機関等医療情報源に依頼して自らの個人医療口座に蓄積できる。したがって、個人医療口座に蓄積される医療情報は網羅的であり、医師はユーザーの許可を得て該ユーザーの医療情報を利用するにすぎない。その結果、医療情報が特定の医療機関に専有されることがなく、いずれの医療機関でもユーザーの許可さえあれば利用でき、医療の専門化に伴う従来の問題点を解決できる。
【発明を実施するための最良の形態】
【０００９】
以下説明する個人医療情報管理システムにおいて、「検査情報」とは、血液検査の結果得られる数値情報や心電図など生理検査の結果得られる数値情報、波形情報、更にレントゲン撮影やＣＴ装置あるいはＭＲＩ装置を使用して得られる画像情報を含む診断の基礎となる情報を意味し、「診断情報」とは、医師の下した診断の内容を意味する。更に、「処置情報」は診断の結果、治療に必要とされる処置の内容を意味し、処置情報の内、投薬の内容を特に「投薬情報」という。「助言情報」とは、医師が患者の生活に関して与える助言の内容を意味し、検査情報、診断情報、処置情報、助言情報の内の１つまたは２以上を集合的に「医療情報」という。医療情報を計時的に集めた記録を「診療記録」という。
医師が診断や治療をする施設を「医療機関」と呼び、「医療情報源」には、医療機関の他、検査機関、研究機関等、医療情報を発生させる施設、機関を含む概念である。
「ユーザー」は患者だけでなく潜在的患者、即ち、未だ発症していない個人を含む概念である。また、「個人医療口座」とは、特定のユーザーが所有し、あるいは専用的に貸与をうけ、該特定ユーザーの医療情報を蓄積し該特定ユーザーあるいは特定ユーザーから許可を受けた医療情報発生源からアクセス可能なデータファイルをいう。特定ユーザーは自然人、法人を問わない。自然人の集まり、例えば家族も特定ユーザーとなりうる。
【００１０】
医療機関や検査機関など医療情報を発生する医療情報源はそれぞれの情報処理装置から通信ネットワークを介して医療情報管理業者内に設けられた医療情報管理装置と通信可能であり、医療情報管理装置は更に通信ネットワークを介してユーザーの所持する情報端末に接続可能である。ここで医療情報源は、予め医療情報管理業者と医療情報の授受に関して契約を結んだ契約医療情報源と、医療情報管理業者と何ら契約関係にない未契約医療情報源に分けられる。
未契約医療情報源も含まれることから、医療情報源と医療情報管理業者を結ぶ通信ネットワークは公衆通信ネットワークであることが望ましく、移動情報端末がユーザーの所持する情報端末として使用されることもあるので、医療情報管理業者とユーザーを結ぶ通信ネットワークも公衆通信ネットワーク、特に、無線通信チャンネルを含む公衆通信ネットワークが望ましい。システムの開放性、経済性の観点から、公衆通信ネットワークとしてインターネットを利用することが望ましい。
医療情報管理装置には、少なくとも大容量記憶装置と、該大容量記憶装置に医療情報を書き込み読み出す情報処理装置と、通信ネットワークに接続し通信ネットワークと情報処理装置の間で医療情報を送受信する通信装置が含まれている。ここで情報処理装置と通信装置はいずれもハードウエアとソフトウエアで構成され情報処理機能と通信機能を実現するアーキテクチャーである。
ユーザーは医療情報管理業者と契約により個人医療口座を開設し、その管理を医療情報管理業者に委託している。契約医療情報源は医療情報管理業者と医療情報の授受に関して契約を結んでいるので、ユーザーの依頼があれば、契約医療情報源は自らの情報処理装置を使い、依頼を受けたユーザーの個人医療口座に医療情報を書き込み、ユーザーの許可を得て医療情報を医療情報口座から読み出すことができる。一方、未契約医療情報源は直接個人医療口座にアクセスできないので、ユーザーは医療情報管理業者に依頼して、自らの情報端末に個人医療口座から必要な医療情報を送ってもらい、未契約医療情報源はこの情報端末からユーザーの医療情報を得て診断や治療の参考にすることを原則とする。
ユーザーは未契約医療情報源で検査や診断、治療等を受けると、未契約医療情報源から診断情報や治療情報更に助言情報等を受け取り、ユーザーは新たに得た医療情報を医療情報管理業者に送り、個人医療口座に保管するよう依頼する。この新たな医療情報の送付手段として、自ら所有する情報端末を利用するか、他の送付手段、例えば郵送、宅配便あるいはファクシミリ装置を利用することもできる。自ら所有する情報端末を経由する場合には、新たな医療情報は直接医療情報管理装置の通信装置を経て情報処理装置に至り、必要なら情報処理装置で編集あるいは再構成して該ユーザーの個人医療口座に保管する。郵送、宅配便あるいはファクシミリ装置を利用する場合には、新たな医療情報は紙面上に書かれていることが多いので、紙面を受け取った医療情報管理業者が新たな医療情報を電子化して、ユーザーの個人医療口座に保管する。なお、ユーザーが情報端末を介して医療情報管理業者から１回のみ有効な暗証コードを受け取り、未契約医療情報源にこの暗証コードを使用して新たな医療情報を医療情報管理装置に送るよう依頼することも考えられる。
【００１１】
契約医療機関に設置された情報処理装置は医療情報管理装置と閉鎖システムを構成しており、この部分は従来の電子カルテシステムに似ていると言えないこともない。しかしながら、本実施形態に係る個人医療情報管理システムでは、ユーザーが個人的に医療情報管理業者と契約により開設し、医療情報管理業者はユーザーとの契約の履行として個人医療口座を管理している。従来の電子カルテシステムでは、医療機関が直接あるいは医療情報管理業者と契約して電子カルテを管理しているので、医療機関内の医師が電子カルテにユーザーの医療情報を書き込み、読み出す。したがって、従来の電子カルテシステムに不参加の医療情報源あるいはユーザーが医療機関の許可なく電子カルテに医療情報を書き込んだり読み出したりできない。ところが本実施形態に係る個人医療情報管理システムでは、ユーザーが個人医療口座を所有し、あるいは貸与を受けているので、ユーザーは未契約医療情報源から得られる医療情報を自らの個人医療口座に書き込み、読み出すことができる。その結果、医療情報が網羅的に個人医療口座に蓄積され、ユーザーが転地しても、あるいは旅先で診療を受けても、全ての医療情報を個人医療口座に集めることができる。このように本実施形態に係る個人医療管理システムは個人医療口座をユーザー所有あるいはユーザー借用にすることで擬似的な開放システムとなり、医療の専門化や転地等に伴う従来の電子カルテシステムの問題点を解決できる。
【実施例１】
【００１２】
図１は本発明に係る個人医療情報管理システムのハードウエア構成を示すブロック図である。図１において、契約医療情報源１ａ、１ｂ、．．．．は医療情報管理業者２およびユーザー３ａ、３ｂ、３ｃ、３ｄ、．．と共に本実施例に係る個人医療情報管理システムに参加している。未契約医療情報源４ａ、４ｂ、．．は個人情報管理システムに参加しておらず、個人情報管理システムから独立して患者の診療記録を紙面上のカルテあるいは電子カルテシステムに保存している。ユーザー４ａ、４ｂ、．．は医療情報管理業者２と個人医療口座の開設と管理に関して契約を締結しており、医療情報管理業者２から暗証コードを割り当てられている。ユーザー３ａ、３ｂ，．．はユーザー暗証コードを使用して自らの個人医療口座に医療情報を書き込み、読み出す。契約医療情報源１ａ、１ｂ、．．はユーザー３ａ、３ｂ、．．の許可を条件としてユーザーの個人医療口座にアクセスする契約を医療情報管理業者２と締結しており、医療情報管理業者２から情報源暗証コードをそれぞれ割り当てられている。したがって、各契約医療情報源１ａ、１ｂ、．．はユーザー暗証コードと情報源暗証コードを使用してユーザーの個人医療口座に医療情報を書き込み、読み出す。未契約医療情報源４ａ、４ｂ、．．は情報源暗証コードを割り当てられていないので、仮に、ユーザー暗証コードを使用しても個人医療口座にアクセスできない。
医療情報管理業者２はユーザー３ａ，３ｂ，３ｃ，３ｄ．．.に複数種類の契約のいずれかを選択してもらい、ユーザー３ａ，３ｂ，３ｃ，３ｄ．．.とそれぞれ契約を締結している。簡易契約では、ユーザー３ａ，３ｂ，３ｃ，３ｄ．．は検査情報として血液検査情報のみ個人医療口座に保管してもらう。標準的な契約では、ユーザー３ａ，３ｂ，３ｃ，３ｄ．．は検査情報として血液検査情報と生理検査情報を個人医療口座に保管してもらう。他方、詳細契約では、検査情報として血液検査情報、生理検査情報の他、画像情報も保管される。
【００１３】
契約医療情報源１ａ、１ｂ、．．には、インターネットサーバー５ａ、５ｂ，．．とパーソナルコンピュータ６ａ、６ｂ，．．７ａ，７ｂ，．．とを含むＬＡＮ（ローカルエリアネットワーク）がそれぞれ構築されている。インターネットサーバー５ａ、５ｂ，．．はウエブサーバーとしての機能を備えており、ブラウザを起動してウエブサイトからファイルをダウンロードしアップロードできる。パーソナルコンピュータ６ａ，６ｂ，．．７ａ、７ｂ，．．は契約医療情報源内の職員、例えば医師、看護師、検査技士等に操作されて、医療情報の入力および医療情報管理業者２から送られてきたユーザーの医療情報を表示する。したがって、契約医療情報源１ａ、１ｂ、．．内に構築されたＬＡＮは情報処理装置に相当する。
【００１４】
未契約医療情報源４ａ，４ｂ，．．内には、パーソナルコンピュータ８ａ、８ｂ，．．が設置されている。未契約医療情報源４ａ内の医師、看護師、検査技士等はパーソナルコンピュータ８ａを操作して電子カルテに患者の医療情報を保存するが、未契約医療情報源４ｂでは、医師が紙面上にカルテ９ａを作成し、患者の診療履歴を作成している。パーソナルコンピュータ８ａには、ブラウザがインストールされており、医師等はブラウザを起動してウエブサイトとファイルを交換する。
【００１５】
医療情報管理業者２はインターネットサーバー５ｃ、大容量記憶装置１０およびパーソナルコンピュータ１１ａ、１１ｂ．．を含む情報管理装置１２を有しており、個人医療口座は大容量記憶装置１０内に保管されている。医療情報管理業者２の職員はパーソナルコンピュータ１１ａ，１１ｂ，．．を操作して、特定ユーザーの医療情報を該ユーザーの個人医療口座に書き込むことができる。大容量記憶装置１０には、ユーザー３，３ｂ，３ｃ，３ｄ．．に割り当てたユーザー暗証コードの表と契約医療機関１ａ，１ｂ，．．．に割り当てた情報源暗証コードの表、更に後述する疾病とその診断の基礎となる検査情報項目の対応表や男女別に血液検査と生理検査の年齢別標準値の表、更に心電図等の標準的波形が保管されており、インタネットサーバー５ｃは稼動中これらの表を内部記憶装置に保持している。これらの表はパーソナルコンピュータ１１ａ，１１ｂ，．．から更新できる。
【００１６】
ユーザー３ａ、３ｂ，３ｃ，３ｄ．．はノート型パーソナルコンピュータ１３ａ、デスクトップ型パーソナルコンピュータ１３ｂ、携帯電話１３ｃ、１３ｄ、．．をそれぞれ所有しており、適切なブラウザがこれらノート型パーソナルコンピュータ１３ａ、デスクトップ型パーソナルコンピュータ１３ｂ、携帯電話１３ｃ、１３ｄ、．．内にインストールされている。したがって、ユーザー３ａ，３ｂ，３ｃ，３ｄ．．はこれらノート型パーソナルコンピュータ１３ａ、デスクトップ型パーソナルコンピュータ１３ｂ、携帯電話１３ｃ、１３ｄ、．．からインターネットを介して医療情報管理装置１２とファイルおよび情報の授受をおこなう。このように、ノート型パーソナルコンピュータ１３ａ、デスクトップ型パーソナルコンピュータ１３ｂ、携帯電話１３ｃ、１３ｄ、．．は情報端末として機能する。
【００１７】
参照番号１４は公衆通信システムを示しており、通信回線、交換局等１４ａ（以下，通信回線等１４ａという）は図示していないインターネットサービスプロバイダーと共にインターネットを構築している。通信回線等１４ａは更に携帯電話会社１４ｂにも接続されているので、この公衆通信システムは有線の通信チャンネルだけでなく無線通信チャンネルも備えている。インターネットサーバー５ａ，５ｂ、５ｃおよびパーソナルコンピュータ８ａ，１３ａ，１３ｂは通信回線１４ａに接続されており、インタネットを介してファイルおよび情報を授受する。
【００１８】
各個人医療口座、即ちデータファイルには、複数のデータレコードが含まれており、複数のデータレコードの一つは生年月日、性別、身長とその測定日、体重とその測定日、既往症、現住所、情報端末のアドレスあるいは電話番号、ユーザー暗証コード等ユーザーの基礎的な情報に割り当てられており、他の複数のデータレコードは異なる疾病群、例えば糖尿病関連、高血圧関連、高脂血症関連、痛風関連、肝臓病関連、腎臓病関連、心臓病関連、脳梗塞関連等、潜在的であるか顕在化しているかを問わず一般的に罹病の可能性が高い複数の疾病群にそれぞれ割り当てられている。なお、データレコードは随時追加可能であり、罹病の可能性が低い疾病が特定のユーザーに疑われるなら、新たなデータレコードを特定の個人医療口座に追加する。各個人医療口座には、ファイルアドレスが割り当てられており、各データレコードにもレコードアドレスがそれぞれ割り当てられている。
【００１９】
各データレコードには、複数のデータブロックが含まれており、複数のデータブロックは異なる検査情報とその確定日付、診断情報とその診断日付、投薬情報とその確定日付、投薬情報以外の処置情報とその確定日付、助言情報とその確定日付にそれぞれ割り当てられている。確定日付を診断日付と同日にしてもよい。なお、検査情報は血液検査情報、生理検査情報、画像情報のように分けられて複数のデータブロックに保管してもよい。例えば、糖尿病関連のデータレコード内の血液検査情報に割り当てられたデータブロックには、血糖値、ＨｂＡｌＣ値、インスリン値等が保存される。各データブロック内の情報には上述のように確定（診断）日付が付されており、診断日付を基準にしてブロック横断的に医療情報を編集することが可能である。
また、同じ検査情報、例えば血圧などは、異なる疾病の診断に利用できる。そこで疾病と検査情報の関係を予め対応させた表を準備しているので、新たな医療情報が入力されると、この対応表を参照して対応表で指定されているデータレコードのデータブロックに同じ検査項目の検査情報が書きこまれる。データブロックも随時追加可能であり、必要に応じて追加される。データブロックにもブロックアドレスが割り当てられており、ファイルアドレス、レコードアドレス、ブロックアドレスを指定すると、希望する情報にアクセスできる。また、ファイルアドレス、レコードアドレスを指定して特定日付を指定あるいは最新情報と指定すると複数のブロックから特定日付の付された情報あるいは最新情報を読み出すこともできる。
【００２０】
本実施例に係る個人情報管理システムを利用した（１）契約医療情報源１ａから特定ユーザーの医療情報を該ユーザーの個人医療口座に書き込む動作（以下，動作１という）、（２）未契約医療情報源４ａから特定ユーザー３ｃの医療情報を該未契約医療情報源４ａ内の情報処理装置８ａから該ユーザーの個人医療口座に書き込む動作（以下，動作２という）、（３）未契約医療情報源４ｂから得た特定ユーザーの医療情報を医療情報管理業者２に依頼して該特定ユーザーの個人医療口座に書き込む動作（以下，動作３という）、（４）特定ユーザー３ｃが医療情報を契約医療情報源１ｂの情報処理装置に送るよう依頼したときの動作（以下，動作４という）、（５）特定ユーザー３ｃが医療情報を該ユーザーの所有する情報端末１３ｃに送るよう依頼したときの動作（以下，動作５という）について説明する。
なお、病院等医療機関内では、携帯電話の使用を禁止されていることが多い。このように携帯電話を禁止されている場合には、ユーザーは一旦禁止領域外にでで携帯電話を使用するか、予め禁止区域外から携帯電話で連絡をとっておく。あるいは禁止区域内でも固定電話あるいはインターネットに接続可能なパーソナルコンピュータ等を使用して、ユーザー暗証コード等と共に携帯電話番号を送信してもよい。特に、契約医療機関は情報処理装置として機能するパーソナルコンピュータを設置しているので、医師等がまずパーソナルコンピュータを操作して医療情報源暗証コードを使用して医療情報管理業者のホームページにアクセスし、その後、ユーザーにユーザー暗証コードを入力してもらえば携帯電話による通信を不要とできる。なお、ＰＨＳ（パーソナルハンディホーンシステム）は送信電力が比較的小さいので、医療機関内でも使用できることが多く、ＰＨＳ電話を携帯電話の変わりに使用すればユーザーは医師の傍から医療情報管理装置１２に連絡をとれる。  
【００２１】
図２は動作１の手順を示すフローチャートである。ユーザー３ｃが契約医療情報源１ａで検査、診断，治療を受けたとする。医師は検査結果、診断、処置をユーザー３ｃに告げ、診断結果に基づく助言を与える。ユーザー３ｃは医療情報管理業者２と契約していることを医師に告げ、医療情報を医療情報管理業者２に送るよう依頼する。医師の同意を得て、ユーザー３ｃは携帯電話１３ｃを操作してインターネットサーバー５ｂ、５ｃにユーザー暗証コードと医療情報の送付予告を送信する（Ｓ１）。医師は医療情報を入力する予定のパーソナルコンピュータ７ｂをインターネットサーバー５ｂに通知する。ユーザー暗証コードと医療情報送付予告は携帯電話会社１４ｂと通信回線等１４ａを介してインターネットサーバー５ｂ、５ｃに送付され、インターネットサーバー５ｂ、５ｃ内に保持される（Ｓ２，Ｓ３）。インターネットサーバー５ｂは直ちに情報源暗証コード、ユーザー暗証コードと共に医療情報記入フォーマット送付要求を通信回線等１４ａを介してインターネットサーバー５ｃへ送り（Ｓ４）、両暗証コードはインターネットサーバー５ｃ内に保持される（Ｓ５）。インターネットサーバー５ｃは既にユーザー３ｃから医療情報の送付予告を受け付けているか否か、更に暗証コードは一致するか否かを調べ（Ｓ６）、もし一致しなければ（Ｎ）、今回のフォーマット送付要求は予め定めた所定回数以内か否かを調べる（Ｓ７）。所定回数以内なら（Ｙ）、インターネットサーバーは携帯電話１３ｃに暗証コード等の再送を要求する（Ｓ８）。このようにしてステップＳ１からＳ８が必要なら所定回数繰り返される。もし、所定回数繰り返しても、ステップＳ７の判断が変わらないなら、ステップＳ７の判断は「いいえ」（Ｎ）となり、インターネットサーバー５ｃはアクセスを禁止して（Ｓ９）、その旨をインターネットサーバー５ｂに通信回線等１４ａを介して送付する。その結果、医師近くのパーソナルコンピュータ７ｂに禁止メッセージが表示される（Ｓ１０）。
【００２２】
一方、医療情報の送付予告、受け取った暗証コードが一致すれば、ステップＳ６の判断は「はい」（Ｙ）となり、インターネットサーバー５ｃは医療情報記入用フォーマットにユーザー名等を書きこみ、これを通信回線等１４ａを介してインターネットサーバー５ｂへ送る（Ｓ１１）。
医師がパーソナルコンピュータ７ｂを操作して医療情報管理業者２のホームページにアクセスして、ユーザー３ｃにユーザー名とユーザー暗証コードをパーソナルコンピュータ７ｂに入力してもらう場合では、ユーザー暗証コードの一致時にステップＳ６の判断が「はい」（Ｙ）となる。
医療情報記入用フォーマットはインターネットサーバー５ｂから医療情報を入力予定のパーソナルコンピュータ７ｂへ転送される。契約医療情報源１ａの職員は直ちにあるいは後日医療情報を医療情報記入用フォーマットに医療情報を記入し（Ｓ１２）、これをインターネットサーバー５ｂから通信回線等１４ａを介してインターネットサーバー５ｃへ返送する（Ｓ１３）。インターネットサーバー５ｃは医療情報の書きこまれたフォーマットを受け取ると、検査情報の項目を対応表と参照して各検査情報を書き込むべきデータブロックを決定し（Ｓ１４）、医療情報をユーザー３ｃの個人医療口座の選択されたデータレコードに含まれるデータブロックに日付と共に書き込む（Ｓ１５）。インターネットサーバー５ｃは個人医療口座から日付を指定してブロック横断的に医療情報を読み出し、確認要求と共にインターネットサーバー５ｂへ送付する（Ｓ１６）。インターネットサーバー５ｂは受け取った医療情報と確認要求を医療情報を入力したパーソナルコンピュータ７ｂに転送し、職員が受け取った医療情報と入力した医療情報を比較して正確であるか否かを調べる（Ｓ１７）。もし不正確なら（Ｎ）、職員はステップＳ１２に戻り、医療情報を再入力する。このようにステップＳ１２からＳ１７が繰り返され、正確な医療情報がユーザー３ｃの個人医療口座に保管される。職員は入力した医療情報を正確と認めたら、パーソナルコンピュータ７ｂに了承を入力し、この了承はインターネットサーバー５ｂから通信回線等１４ａを介してインターネットサーバー５ｃへ送られ（Ｓ１８）、インターネットサーバー５ｃは動作１を終了する。ここで医療機関に送られる医療情報記入用フォーナットには、医師の診断や所見を記入できるが、記入は医師の裁量であり、医師は患者であるユーザーにとって秘密にしたほうがよいと思われる情報を記入しないこともある。
【００２３】
図３は動作２の手順を示すフローチャートである。ユーザー３ｃが未契約医療情報源４ａで検査、診断，治療を受けたとする。医師は検査結果、診断、処置をユーザー３ｃに告げ、診断結果に基づく助言を与える。ユーザー３ｃは医療情報管理業者２と契約していることを医師に告げ、医療情報を医療情報管理業者２に送るよう依頼する。医師の同意を得ると、ユーザー３ｃは携帯電話１３ｃから自らのユーザー暗証コードと使用限定暗証コードの発送依頼を携帯電話会社１４ｂと通信回線等１４ａを介してインターネットサーバー５ｃへ送る（Ｓ２１）。インターネットサーバー５ｃはユーザー暗証コード表を確認し、依頼を了承する（Ｓ２２）。インターネットサーバー５ｃは暗証コード発生器を起動して一回限り使用される使用限定暗証コードを発生させ、この使用限定暗証コードを携帯電話１３ｃへ送付する（Ｓ２３）。携帯電話１３ｃは使用限定暗証コードを受け取ると、これを画面に表示してユーザー３ｃ、更に未契約医療情報源４ａの医師に使用限定暗証コードを知らせる（Ｓ２４）。医師はユーザー暗証コードと使用限定暗証コードを医療情報記入フォーマット送付要求と共にパーソナルコンピュータ８ａから通信回線等１４ａを介してインターネットサーバー５ｃへ送る（Ｓ２５）。
【００２４】
インターネットサーバー５ｃはユーザー暗証コードと使用限定暗証コードを医療情報記入フォーマット送付要求と共に受け取ると（Ｓ２６）、受け取ったユーザー暗証コードと使用限定暗証コードをステップＳ２２で受け取ったユーザー暗証コードおよびステップＳ２３で送付した使用限定暗証コードと比較し、一致しているか否かを調べる（Ｓ２６）。もし一致しなかったら（Ｎ）、医療情報記入フォーマットの要求回数が所定回数以内か否かを調べ（Ｓ２７），所定回数以内なら（Ｙ）再送要求をパーソナルコンピュータ８ａに送る（Ｓ２８）。パーソナルコンピュータ８ａ上に表示された再送依頼を見て、医師は両暗証コードを入力しなおし、これらを医療情報記入フォーマット送付要求と共に再度インターネットサーバー５ｃへ送付する（Ｓ２５）。このようにしてステップＳ２５からＳ２８を医療情報記入フォーマット送付要求が所定回数を超えるか暗証コードが一致するまで繰り返す。医療情報記入フォーマット送付要求が所定回数を超えた場合と暗証コードが一致した場合はステップＳ２９かステップＳ３０に進むが、ステップＳ２９からＳ３８での動作は図２のステップＳ９からＳ１８の動作に相当するので、簡略のため説明を省略する。
【００２５】
図４は動作３の手順を表すフローチャートである。同図中、実線はパーソナルコンピュータ８ｂとインターネットサーバー５ｃとの通信経路を表し、点線はそれ以外の送付経路、例えば手渡し、郵送、ファックスを介した送付経路を表す。ユーザー３ｃが未契約医療情報源４ｂで検査、診断，治療を受けたとする。医師は検査結果、診断、処置をユーザー３ｃに告げ、診断結果に基づく助言を与える。ユーザー３ｃは医療情報管理業者２と契約していることを医師に告げ、検査情報、診断情報、処理情報および助言情報の内、ユーザー３ｃに引き渡せる情報を紙面で交付してもらいたい旨依頼する。医師が引渡し可能な医療情報を印刷し、医療情報を印刷した紙面９ａをユーザー３ｃに交付する（Ｓ４１）。医師はユーザー３ｃに交付せず、直接、医療情報を印刷した紙面９ａを医療情報業者２へ送付することを約束することもある。ユーザー３ｃは携帯電話１３ｃからユーザー暗証コードと共に医療情報を印刷した書面９ａを送付する旨、携帯電話会社１４ｂと通信回線等１４ａを介してインターネットサーバー５ｃへ通知する（Ｓ４２）。医療情報を印刷した紙面９ａはユーザー３ｃあるいは未契約医療情報源４ｂから医療情報管理業者２へ郵便、宅配便あるいはファックス等を介して送られる（Ｓ４３）。
【００２６】
ユーザー暗証コードと書面送付通知を受け取ったインターネットサーバー５ｃはユーザー暗証番号と携帯電話番号でユーザー３ｃを特定し、医療情報入力部門のパーソナルコンピュータ１１ｂに受け取り了承を通知する（Ｓ４４）。その結果、ユーザー３ｃの医療情報入力要求はパーソナルコンピュータ１１ｂ内の待ち行列に加わる。パーソナルコンピュータ１１ｂは定期的に待ち行列を調べ（Ｓ４５）、未着（Ｎ）の場合には、待ち行列に加わってから既に所定期間経過したか否かを調べ（Ｓ４６）。未経過時（Ｎ）には、ステップＳ４５に戻ってステップＳ４５とＳ４６を繰り返し、ステップＳ４５かＳ４６の結果が到着（Ｙ）あるいは経過（Ｙ）に変わるのを待つ。
【００２７】
書面が未着のまま所定期間が経過すると、ステップＳ４６は「経過」（Ｙ）となり、インターネットサーバー５ｃは書面の未着を通信回線等１４ａを介してユーザー３ｃの携帯電話に通知する（Ｓ４７）。携帯電話１３ｃには、書面送付通知をキャンセルするか否かを問うメッセージが現れ、ユーザーに回答を求める（Ｓ４８）。ユーザーがキャンセルする場合（Ｙ）には、ユーザー３ｃが携帯電話１３ｃから携帯電話会社１４ｂと通信回線等１４ａを介してインターネットサーバー５ｃに「キャンセル」を通知する。インターネットサーバー５ｃはキャンセルの通知を受けると、待ち行列中の医療情報入力要求を取り除き、処理を終了する。一方、ユーザー３ｃが依然として医療情報の入力を求めている場合（Ｎ）には、ユーザー３ｃは書面９ａを確認し、ステップＳ４３に戻って送付あるいは再送する。
【００２８】
所定期間内に書面９ａが医療情報管理業者２に到着すると、ステップＳ４５の判断結果は「はい」（Ｙ）となり、職員が到着した書面９ａ上のユーザー暗証コードを待ち行列中の書面送付通知に付された暗証コードと比較して該当する書面送付通知があるか否かを調べる（Ｓ４９）。もし一致する書面送付通知がなければ（Ｎ），職員はステップＳ４６に戻って、所定期間後にユーザーに問い合わせをする（Ｓ４７）。一方、ユーザー暗証コードが一致すれば（Ｙ）、職員は医療情報記入フォーマットをパーソナルコンピュータ１１ｂのディスプレイ上に呼び出し、紙面９ａ上の医療情報を記入する（Ｓ５０）。職員は記入した医療情報を再度紙面９ａ上の医療情報と比較して、入力が正確であったか否かを調べる（Ｓ５１）。間違いがあれば（Ｎ）、ステップＳ５０に戻り、再入力する。正確であれば（Ｙ）、職員はパーソナルコンピュータ１１ｂから医療情報記入フォーマットをインターネットサーバー５ｃへ送る。インターネットサーバー５ｃは各医療情報を保管するデータブロックを決定し（Ｓ５２）、診断日付と共に選択されたデータブロック内に保管される（Ｓ５３）。以上で動作３を終了する。
【００２９】
図５は動作４の手順を示すフローチャートである。ユーザー３ｃは携帯電話１３ｃから医療情報送信依頼と共にユーザー暗証コードと医療情報源暗証コードをインターネットサーバー５ｃへ送信する。インターネットサーバー５ｃはユーザーリストにアクセスして要求元ユーザーの登録されているユーザー暗証コードと送付されたユーザー暗証コードを比較して一致するか否かを調べる（Ｓ６２）。もし不一致（Ｎ）なら、医療情報送信依頼が所定回数繰り返されたか否かを調べ（Ｓ６３）、所定回数に達していなければ（Ｎ），再送を求める（Ｓ６４）。再送要求は携帯電話１３ｃに表示され、ユーザー３ｃはステップＳ６１を繰り返す。
動作４でも、医療情報源が医療情報源暗証コードを使用して医療情報管理業者のホームページにアクセスして医療情報送信依頼をダウンロードし、ユーザー３ｃあるいは医師がユーザー暗証コードを入力してこれをアップロードしてもよい。
【００３０】
医療情報送信依頼が不一致のまま所定回数繰り返されると、ステップＳ６３の判断は「いいえ」（Ｎ）となり、インターネットサーバー５ｃは当該医療情報送信依頼に応答した医療情報の送信を禁止し（Ｓ６５）、禁止メッセージを携帯電話１３ｃに送ってそのディスプレイ上に禁止メッセージを表示する（Ｓ６６）。一方、暗証コードが一致した場合には、ステップＳ６２の判断結果が「はい」（Ｙ）となり、インターネットサーバー５ｃはユーザー３ｃの個人医療口座に保管されている医療情報に関連する疾病名と医療情報の項目を医療情報リストとして契約医療情報源１ｂに送付する（Ｓ６７）。医療情報送信依頼が医療情報源のパーソナルコンピュータからアップロードされる場合にステップＳ６２の判断が「はい」になる。
医療情報リストについて詳述する。既に説明したように、代表的な疾病はデータレコード毎に割り当てられているが、データレコードには何ら医療情報を保管していないものもある。それでインターネットサーバー５ｃはユーザー３ｃの個人医療口座中のデータレコードを検索し、医療情報が保管されているデータレコードとその中のデータブロックを特定し、医療情報リストを作成する。医療情報リストはデータレコードに割り当てられた疾病のうち、データレコード内に情報保管されている疾病名と各データレコード内で医療情報を保管しているデータブロックを割り当てられている医療情報項目で構成されている。例えば、ユーザー３ｃの個人医療口座には、高血圧関連のデータレコードがあり、血液検査情報、生理検査情報、画像情報にそれぞれ割り当てられたデータブロックに、例えば血液検査のうちコレステロール値、生理検査情報のうち心電図の波形が保持されているなら、ユーザー３ｃの医療情報リストには「高血圧関連」の元に「コレステロール値」、「心電図波形」が載せられる。
【００３１】
医療情報リストがインターネットサーバー５ａに到着すると、インターネットサーバー５ａはパーソナルコンピュータ６ａ、６ｂ、．．にユーザー名等を通知して、医療情報を必要とする職員を探す。医療情報を必要とする医師がパーソナルコンピュータ６ｂの近くにいたとする。医師がパーソナルコンピュータ６ｂを操作してインターネットサーバー５ａに医療情報リストの転送を要求すると、インターネットサーバー５ａは医療情報リストをパーソナルコンピュータ６ｂへ送り、医療情報リストはそのディスプレイ上に表示される（Ｓ６８）。医師は医療情報リストの内で必要とする医療情報を選択する（Ｓ６９）。例えば、カーソルを必要とする医療情報合わせてクリックし、これをもって選択する。選択終了後、医師は画面上の「送信依頼」をクリックすると、選択された医療情報がインターネットサーバー５ａからインターネットサーバー５ｃへ送られ、医療情報の送信依頼がなされる（Ｓ７０）。
【００３２】
医療情報の送信依頼がインターネットサーバー５ｃに到着すると、インターネットサーバー５ｃはユーザー３ｃの個人医療口座から依頼された検査情報とこれに関連した診断情報、助言情報を診断日と共に読み出し、ユーザー３ｃの基礎的なデータ、即ち、身長、体重、性別、既往症等やユーザー３ｃの基準検査値と共に医療情報画面を編集する（Ｓ７１）。その後、インタネットサーバー５ｃは医療情報画面をインターネットサーバー５ａに送り（Ｓ７２）、インタネットサーバー５ａは医療情報画面をパーソナルコンピュータ６ｂに転送する。その結果、パーソナルコンピュータ６ｂのディスプレイ上に医療情報画面が表示される（Ｓ７３）。医療情報画面は多重構造であり、最前面にユーザーの基礎的なデータと選択された医療情報のリストが掲載されている。第２面以降は異なる疾病に割り当てられており、各面には検査値とそのグラフ、ユーザー３ｃの性別、年齢における標準値、画像情報、投薬等処置情報や助言情報で構成されている。送られてきた医療情報を検討して、医師は他の医療情報を必要とするか否かを判断する（Ｓ７４）。医師が更に医療情報を必要とするときには、最前面に戻り「追加医療情報要求」にカーソルを合わせてクリックすれば、追加医療情報要求がインターネットサーバー５ａからインタネットサーバー５ｃへ送られ（Ｓ７５）、インタネットサーバー５ｃはステップＳ７１、Ｓ７２を繰り返して、追加医療情報用に医療情報面を編集し、追加医療情報面が既に送付されている多重医療情報面に加えられる。このようにステップＳ７１からＳ７５を繰り返して、医師はユーザー３ｃの個人医療口座から必要な医療情報を読み出す。
【００３３】
図６は動作５の手順を示すフローチャートである。ユーザー３ｃが個人医療口座にアクセスして、自らの健康状態を確認したいと考えているとする。ユーザー３ｃは携帯電話１３ｃを操作して選択画面送付要求をユーザー暗証コードと共にインターネットサーバー５ｃへ送る（Ｓ８１）。インタネットサーバー５ｃはユーザーリストを調べ、ユーザー３ｃが登録されているか否かを調べる（Ｓ８２）。登録されていなければ（Ｎ）、選択画面送付要求が所定回数以内か否かを調べ（Ｓ８３）、所定回数未満なら（Ｎ）、インタネットサーバー５ｃは携帯電話１３ｃに再送を要求する（Ｓ８４）．このようにユーザー暗証コードがユーザーリストになければ、ステップＳ８１からＳ８４を繰り返し、ステップＳ８２またはＳ８３の判断結果が変わるのを待つ。
【００３４】
もし、ユーザー暗証コードの不一致のまま選択画面送付要求を所定回数繰り返したなら、ステップＳ８３の判断は「はい」（Ｙ）となり、インタネットサーバー５ｃは現携帯電話からのアクセスを禁止し（Ｓ８５）、禁止メッセージを携帯電話に送る。その結果、携帯電話のディスプレイにアクセス禁止のメッセージが表示される（Ｓ８６）。一方，所定回数まで繰り返されることなく、ユーザー暗証コードがユーザーリストに見出された場合には、ステップＳ８３の判断が「はい」（Ｙ）となり、インターネットサーバー５ｃは選択画面を携帯電話に送付する（Ｓ８７）。
【００３５】
選択画面を受け取った携帯電話１３ｃには、選択画面がそのディスプレイ上に表示される（Ｓ８８）。選択画面はディスプレイ上でスクロール可能であり、疾病名を大見出しとし、各大見出しの元には、検査情報の項目、生理検査情報の項目、画像情報の項目が掲載されている。ユーザー３ｃはカーソルを希望情報に合わせてクリックすると、医療情報が選択される（Ｓ８９）。ユーザー３ｃが更に選択画面上の「送信要求」にカーソルを合わせてクリックすると、携帯電話１３ｃから選択された医療情報の項目と共に医療情報送信要求がインターネットサーバー５ｃへ送られ（Ｓ９０）、インタネットサーバー５ｃはユーザー３ｃの個人医療口座から選択された医療情報を最新の診断日から所定数読み出し、ユーザー３ｃの年齢と性別における標準値も所定の表から読み出す。インターネットサーバー５ｃはこれら読み出した医療情報を編集し、可能ならグラフとし、関連する診断情報要求ボタン像、助言情報要求ボタン像、処置情報のボタン像と共に予定されている画面上に編集する（Ｓ９１）。インタネットサーバー５ｃは編集した医療情報画面を携帯電話１３ｃに送付し（Ｓ９２）、これを受け取った携帯電話１３ｃのディスプレイ上に表示する（Ｓ９３）。もしユーザー３ｃが検査情報に関連して診断情報、助言情報、処置情報を得たいと思った場合には、それぞれの情報に割り当てられているボタン像にカーソルを合わせてクリックすると、送信要求が携帯電話からインターネットサーバー５ｃへ送られ、インターネットサーバー５ｃは再び個人口座にアクセスして、要求された医療情報を読み出し、医療情報画面として編集する（Ｓ９１）。医療情報画面はインターネットサーバー５ｃから携帯電話１３ｃへ送られ（Ｓ９２）、携帯電話のディスプレイ上に表示する（Ｓ９３）。
【００３６】
例えば、ユーザー３ｃは肝臓病関連の医療情報の内、血液検査の結果を知りたいと仮定する。ユーザー３ｃは選択画面上の「肝臓病関連」の元で「血液検査」にカーソルと合わせてクリックする。医療情報管理業者２は肝機能を表すガンマーＧＴＰの検査情報をユーザー３ｃの個人医療口座から所定数読み出し、ガンマーＧＴＰのグラフを標準値範囲を示す限界線とともに医療情報画面内に編集し、これを携帯電話１３ｃへ送る。医療情報画面は携帯電話のディスプレイ上に表示され、ユーザー３ｃは自らの肝機能を知る。ユーザー３ｃが肝機能に関する医師の診断を知りたいと思えば、ユーザー３ｃは医療情報画面上の「診断情報」ボタン像にカーソルを合わせてクリックする。医療情報管理業者２のインターネットサーバー５ｃは再びユーザー３ｃの個人医療口座にアクセスして、診断情報を読み出し、診断情報を既にグラフ等の作成されている医療情報画面内に含め携帯電話に送る。医療情報画面は携帯電話１３ｃのディスプレイに表示され、ユーザー３ｃは肝機能について医療情報画面から医師の診断を知ることになる。
【００３７】
医療情報を得たユーザー３ｃは他の医療情報を調べるか否かを考え（Ｓ９５）、もし不要なら動作５を終了する。一方、ユーザー３ｃは別種の医療情報を知りたいなら、ステップＳ８７に戻り、ステップＳ８７からＳ９５を繰り返して携帯電話１３ｃのディスプレイ上で自らの医療情報を確認することになる。
【００３８】
以上説明してきたように、本実施例に係る個人医療情報管理システムでは、各ユーザーが自らの個人医療口座を開設し、その管理を医療情報管理業者に依頼しているので、契約医療情報源だけでなく、未契約医療情報源から得られる医療情報も個人医療口座に保管することができる。その結果、医療機関の地域性、経営主体の装置等医療情報源側の事情にかかわらず医療情報を集められ、個人医療口座に保管される医療情報の網羅率が向上する。したがって、医療の専門化の弊害を容易に取り除くことができる。
【実施例２】
【００３９】
図７は実施例２にかかわる個人医療情報管理システムにおいて、ユーザーが自らの医療情報を個人医療口座から得る手順を示したフローチャートである。ハードウエア構成と動作１の手順から動作４の手順は実施例１の対応する構成、手順と同一なので、説明を省略する。
【００４０】
実施例２における手順５は関連ウエブサイトへのリンクを可能にした点で実施例１の手順５と異なっており、この相違のみ説明する。図７中、ステップＳ８１からＳ９５は図６中の対応するステップと同一である。
【００４１】
インターネットサーバー５ｃはステップＳ９１で読み出した医療情報を医療情報画面中に編集する際、関連ウエブサイトへリンクさせるためのリンク情報を加える。例えば，医療用語はユーザーに耳慣れないことも多いので、「ガンマーＧＴＰ」や「インシュリン」といった用語にリンク情報を付加して携帯電話１３ｃへ送付する。ユーザー３ｃがディスプレイ上に表示された医療情報画面中に意味を理解できない用語を見つけたら（Ｓ９６で「Ｙ」）、リンク情報要求にカーソルを合わせてクリックすれば、医療用語の関連ウエブサイトにリンクして用語の解説を得られる。一方、意味不明の医療用語がなければ（Ｎ）、ステップＳ９４に進む。ここでユーザー３ｃが関連医療情報、例えば診断情報を読みたいと思えば、ステップＳ９４の判断結果は「はい」（Ｙ）となり、既に実施例１で説明したようにステップＳ８９からＳ９３を繰り返す。仮にユーザー３ｃが処置情報を読みたいとして、処置情報を要求したところ、ユーザー３ｃに出されている処方箋が医療情報画面に加えられてきたとする。この場合も、医薬品の効能、使用方法、注意等を関連ウエブサイトにリンクして（Ｓ９７）、取り寄せることができる。
【００４２】
以上説明してきたように、実施例２に係る個人医療情報管理システムでは、実施例１で説明した効果の他、関連ウエブサイトにリンク可能としたことで医療用語や医薬品について知識の少ないユーザーを援助でき、個人医療情報管理システムを利用しやすいという利点がある。
【００４３】
なお、契約医療機関でも動作１に代えて動作３で医療情報をユーザーの個人医療口座に保管してもよい。このように契約医療機関、未契約医療機関にかかわらず全ての医療情報の入力を医療情報管理者２により行われるなら、医療情報源の負担が少なくなり、医療情報源は個人医療情報管理システムに参加しやすくなる。契約医療機関が動作３を利用して医療情報を個人医療口座に書きこむ場合、契約医療機関は医療情報記入フォーマットに医療情報を書きこむので、医療情報管理業者は医療情報を容易に入力できる。
【００４４】
また、ユーザーは段階的に医療情報を個人医療口座に送るよう契約医療情報源に依頼してもよい。このような包括的な依頼を受けた契約医療情報源は、検査結果が得られた時点で検査情報をユーザーの個人医療口座に送り、後日、医師は再診時に診断情報、処理情報更に助言情報を個人医療口座に送ることにしてもよい。もし医療機関が検査を外注しているなら、ユーザーは医療機関だけでなく、外注先の検査機関にも個人医療口座への書きこみを包括的に許可しなければならない。また、ユーザーは個人医療口座へ書きこみを許可した医療情報源の暗証コードを医療情報管理業者２に通知しておき、医療情報源が情報源暗証コードと共に医療情報記入フォーマットを要求したとき（Ｓ４）、要求先が予め許可した医療情報源であるか否かを調べるようにしてもよい（Ｓ６）。この場合、ユーザーはステップＳ１を省略できる。
【００４５】
ユーザーが移動情報端末から医療情報送付予告や使用限定暗証コード発行依頼、あるいは書面送付通知、医療情報送信依頼、若しくは選択画面送付要求を送る場合、移動情報端末に予めそれぞれのフォーマット画面を記憶しておき、暗証コード等を書きこんだ後に、「送信」をクリックして移動情報端末からインターネットサーバーに送るようにしてもよく、ユーザーが医療情報管理業者２のホームページにアクセスして、暗証コード等を記入するフォーマットをダウンロードしてもよい。
【００４６】
ユーザーが情報移動端末を操作して医療情報管理業者に各種依頼、要求を送る際、その操作を案内する「操作方法ガイド」をインターネットサーバー５ｃから取り寄せられるようにしてもよい。
【００４７】
調剤薬局が本発明に係る個人医療情報管理システムに参加してもよい。契約医療情報源の医師は院外処方箋を個人医療口座に送り、ユーザーは院外処方箋を個人医療口座から調剤薬局で引き出し、調剤薬局はこの院外処方箋に基づきユーザーに医薬品を引き渡せるので、ユーザーの利便が向上する。あるいは、処方箋を直接調剤薬局へインターネットで送り、ユーザーが指定された薬局へ医薬品を受け取りに行くようにしてもよい。更に、未契約医療情報源、契約医療情報源を問わず、紙面上に処方箋を書いて渡す場合には、ユーザーが医療情報管理業者２へ処方箋をファックス等で送り、医療情報管理業者２が処方箋を個人医療口座に保管し、調剤薬局がこれを引き出して、調剤するようにしてもよい。
【００４８】
契約医療機関はユーザーの許可を得なくてもユーザーの個人医療口座にアクセスできるようにしてもよい。この場合、契約医療機関の医師は医療情報管理業者２のホームページにアクセスし、必要なページをダウンロードして、医療情報源暗証コード等を入力して、個人医療口座にアクセスするようにしてもよい。このような利用を可能にすれば、個人情報管理システムを電子カルテの代わりに利用できる。
【産業上の利用可能性】
【００４９】
本発明は医療機関および情報通信分野で利用できる。
【図面の簡単な説明】
【００５０】
【図１】本発明に係る個人医療情報管理システムのハードウエア構成を示すブロック図である。
【図２】実施例１の個人医療情報管理システムにおいて、ユーザーが契約医療情報源に医療情報を医療情報管理業者に送信するよう依頼した時の手順を示すフローチャートである。
【図３】実施例１の個人医療情報管理システムにおいて、ユーザーが未契約医療情報源に医療情報を医療情報管理御者に送信するよう依頼した時の手順を示すフローチャートである。
【図４】実施例１の個人医療情報管理システムにおいて、ユーザーが未契約医療情報源から得た書面を医療情報管理者へ送り医療情報の保管を依頼したときの手順を示すフローチャートである。
【図５】実施例１の個人医療情報管理システムにおいて、ユーザーが医療情報管理業者に医療情報を契約医療情報源へ送るよう依頼したときの手順を示すフローチャートである。
【図６】実施例１の個人医療情報管理システムにおいて、ユーザーが自らの個人医療口座から医療情報を移動情報端末に送るよう医療情報管理業者に依頼したときの手順を示すフローチャートである。
【図７】実施例２の個人医療情報管理システムにおいて、ユーザーが自らの個人医療口座から医療情報を移動情報端末に送るよう医療情報管理業者に依頼したときの手順を示すフローチャートである。
【符号の説明】
【００５１】
１ａ，１ｂ                          契約医療情報
２                                  医療情報管理業者
３ａ、３ｂ、３ｃ、３ｄ              ユーザー
４ａ，４ｂ                          未契約医療情報源        
５ａ、５ｂ、５ｃ                    インターネットサーバー
６ａ、６ｂ、７ａ、７ｂ、８ａ、８ｂ  パーソナルコンピュータ
９ａ                                医療情報を記載した書面
１０                                大容量記憶装置
１１ａ，１１ｂ                      パーソナルコンピュータ
１２                                医療情報管理装置
１３ａ、１３ｂ、１３ｃ、１３ｄ      移動情報端末
１４ａ                              通信回線等
１４ｂ                              携帯電話会社
【図１】
2006024047.tif 000003
【図２】
2006024047.tif 000004
【図３】
2006024047.tif 000005
【図４】
2006024047.tif 000006
【図５】
2006024047.tif 000007
【図６】
2006024047.tif 000008
【図７】
2006024047.tif 000009